(57)【要約】【課題】  マスクの上縁に取付けて該マスクを着用した場合に鼻の形状になじんで隙間を無くすことが出来る縁部材の提供。【解決手段】  縁部材１は概略逆Ｕ字状の断面をなした柔軟性のある材質からなり、その内部には針金などで曲げることが出来る芯材３を埋着し、そして両側片８，８の間にはマスク上縁が嵌る隙間４を形成している。【選択図】    図１
2011019894.tif 000002
【特許請求の範囲】
【請求項１】
マスクの上縁に取付けて該マスクを着用した場合に鼻の形状になじんで隙間を無くすことが出来る縁部材において、該縁部材は概略逆Ｕ字状の断面をなした柔軟性のある材質からなり、その内部には針金などで曲げることが出来る芯材を埋着し、そして両側片の間にはマスク上縁が嵌る隙間を形成したことを特徴とするマスクに取付ける縁部材。
【請求項２】
正面側（マスクに取付けた場合の内側）の側片一部を切欠いた請求項１記載のマスクに取付ける縁部材。
【請求項３】
側片の両先端に止着部を設け、該止着部にはマスクの耳掛けが嵌る止着穴を形成すると共に止着穴に連通するスリットを設けた請求項１、又は請求項２記載のマスクに取付ける縁部材。
【請求項４】
マスクの上縁に取付けて該マスクを着用した場合に鼻の形状になじんで隙間を無くすことが出来る縁部材において、該縁部材は一定幅の帯状とし、材質は柔軟性を有し、その内部又は裏面には針金などで網目状を成して曲げることが出来る芯材を積層し、そして２つ折りして概略逆Ｕ字状又は概略逆Ｖ字状の断面として両側片の間にマスク上縁を挟み込んで取付けることを特徴とするマスクに取付ける縁部材。
【請求項５】
帯状をした両先端に止着部を設け、該止着部にはマスクの耳掛けが嵌る止着穴を形成すると共に止着穴に連通するスリットを設けた請求項４記載のマスクに取付ける縁部材。
【請求項６】
マスクを着用した場合に鼻の形状になじんで隙間を無くすことが出来る縁部材を上縁に取付けたマスクにおいて、該縁部材は少なくとも一部を概略逆Ｕ字状の断面をなした柔軟性のある材質からなり、その内部には針金などで曲げることが出来る芯材を埋着し、そして両側片の間には隙間を有してマスク上縁が嵌って取付けたことを特徴とするマスク。
【請求項７】
上記側片の両先端には止着部を設け、該止着部には止着穴を形成すると共に止着穴に連通するスリットを設け、マスクの耳掛けを上記止着穴に嵌めて取付けた請求項６記載のマスク。
【発明の詳細な説明】
【技術分野】
【０００１】
本発明はメガネを掛けてマスクを着用する場合、メガネのレンズが曇らないようにしたマスク及び該マスクの上縁に取付けることが出来る縁部材に関するものである。
【背景技術】
【０００２】
メガネを掛けている人がマスクを着用すると、マスクと鼻の隙間から流れ出る吐息によってメガネのレンズが曇って前方が見えなくなる。特に、冬季においては温かい吐息が冷たいレンズ内面にかかって冷やされることで、息に含まれている水蒸気が凝結して細かい水滴となり、メガネレンズは曇る。その為に、前方が見えなくなり、特に車の運転をしている場合には非常に危険でもある。
【０００３】
従来、レンズの曇りを防止する為に、曇り防止剤を使用することもあるが、常に携帯しなくてはならず、又レンズに時々塗布しなくてはならない為に、煩わしい。特開２００７−２８３０４５号に係る「マスク掛けた時の眼鏡の曇り止めの息遮断器」は、マスクから漏れる息が眼鏡に当ることを遮断することが出来る。
これは金具２枚を曲げ、間にゴムを入れ、接肌面にウレタンを張り、気密を保持するように構成している。
【０００４】
しかし、この息遮断器をどのように取付けるのかが、両面にゴム紐を連結していることから、マスクとは別にマスクの上縁部を押えるように着用するのであろうか。
マスクを着用すると共にこの曇り止めの息遮断器を着用しなくてはならず、面倒である。夫々が別物品であることから、曇り止めの息遮断器を失うこともある。
【０００５】
特開２００５−２２４４８１号に係る「マスク」は、口と鼻を覆う衛生用品としての簡易マスクであって、眼鏡を掛けていても、レンズが曇ることのないマスクである。
該マスクは、複数枚の通気性被膜を重ね合わせ適所を溶着し、且つ左右両側に耳掛け紐を設けたマスク本体の上部に、上下一対の水平溶着線を設け、この水平溶着線間に横長の変形維持部材を内設すると共に、上側の水平溶着線上に眼鏡による押さえ部を形成することにより、口や鼻からの息が眼鏡の裏側へ上昇するのを防ぐことが出来る。また上側の水平溶着線の中央部からマスク本体における左右の上側角部に亘る傾斜溶着線を形成することにより、押さえ部の顔面への密着性を良好にしている。
【０００６】
実用新案登録第３０６８０６２号に係る「メガネの曇らない風邪用マスク」は、鼻の形にぴったりと密着して吐く息が漏れないようにしたものである。そこで、粘着シールに針金を貼りつけ、これをマスクに貼りつけて使用することで、メガネを掛ける場合にレンズが曇ることはない。
【０００７】
このように、メガネレンズの曇り止めを図ったマスクは色々存在している。しかし、これらのマスクでは掛け心地が悪く、特に特開２００７−２８３０４５号に係る「マスク掛けた時の眼鏡の曇り止めの息遮断器」の場合には、マスクの他に息遮断器を着用しなくてならない。
【０００８】
【特許文献１】特開２００７−２８３０４５号に係る「マスク掛けた時の眼鏡の曇り止めの息遮断器」
【特許文献２】特開２００５−２２４４８１号に係る「マスク」
【特許文献３】実用新案登録第３０６８０６２号に係る「メガネの曇らない風邪用マスク」
【発明の開示】
【発明が解決しようとする課題】
【０００９】
このように従来のマスクには上記のごとき問題がある。本発明が解決しようとする課題はこの問題点であり、マスクの上縁に取付けることでメガネが曇ることのない縁部材を提供する。そして、この縁部材を取付けても掛け心地を損なうことなく、又位置ズレすることのないマスクを提供する。
【課題を解決するための手段】
【００１０】
本発明に係るマスクは、その上縁に縁部材を取付けて構成している。しかも縁部材は如何なるマスクにも取付け出来、取外し可能としている。すなわち、着脱自在な縁部材として構成している。ところで、具体的な材質は限定しないが、例えばシリコンなどの柔軟な材質が用いられ、内部には針金などで構成する芯材を埋着している。ここで上記針金とはある程度の剛性を備えて、曲げ変形することが出来る細い線材であり、その材質は及び断面形状は問わない。
【００１１】
芯材はその形状を自由に変えることが出来るように柔軟性を有し、鼻の形状に合わせて曲げることが出来、その為にマスクの上縁は肌との間に隙間を無くすことが出来る。ここで、縁部材はマスクの上縁を挟むことが出来るように概略逆Ｕ状断面としている。
【発明の効果】
【００１２】
本発明のマスクはその上縁に縁部材を取付けることで、マスク上縁と鼻との間の隙間を無くすことが出来、メガネを掛けてもレンズが曇ることはない。すなわち、縁部材は柔軟な材質内に針金などの芯材を埋着していることで、鼻の形状に合わせて曲げることが出来ることで、マスク上縁に取付けた縁部材によって隙間の発生は防止される。
【００１３】
そして、本発明の縁部材は概略逆Ｕ字条断面としていることで、マスク上縁を挟み込むことで簡単に取付け出来、又何時でも取外しすることが出来る。すなわち、市販のマスクに着脱自在である。その為に、新聞や雑誌を読む際にのみ老眼鏡を掛ける人にとっては、該老眼鏡を掛けない時には縁部材を取外してマスクを着用することが出来る。また、縁部材はシリコンなどの材質で構成されていることで肌当りが良く、マスクの掛け心地は良好であると共に位置ズレが防止される。
【図面の簡単な説明】
【００１４】
【図１】本発明に係る縁部材を示す実施例。
【図２】本発明に係る縁部材を示す実施例。
【図３】縁部材をマスク上縁に取付けた場合。
【図４】縁部材を取付けたマスクを着用した状態。
【図５】本発明に係る縁部材を示す他の実施例。
【図６】図５に示す縁部材を取付けたマスク。
【図７】本発明に係る縁部材を示す他の実施例。
【図８】図７に示す縁部材を取付けたマスク。
【図９】本発明に係る縁部材を示す他の実施例。
【図１０】図９に示す縁部材を取付けたマスク。
【発明を実施するための形態】
【００１５】
図１は本発明に係る縁部材１を示す実施例である。該縁部材１はその断面を概略逆Ｕ字状とし、その本体２の材質は柔軟な樹脂、例えばシリコン樹脂が用いられ、内部には芯材３が埋着されている。そして、本体２は下側が開口した隙間４が連続して形成され、この隙間４にマスクの上縁が挿入されて取付けることが出来る。
【００１６】
上記芯材３は細い針金から成り、本体２の上側に埋着されると共に全長にわたって延びている。ここで、本体２は柔軟な材質でればよく、比較的厚いウール生地の内部又は裏面に芯材３を埋着又は縫着して構成し、これを概略逆Ｕ字状断面、又は概略逆Ｖ字状断面とすることも出来る。
【００１７】
図２は縁部材１を示す他の実施例であり、該縁部材１は一定幅で細長い帯状とし、芯材５を表層６と裏層７とで挟み込んだ構造としている。上記芯材５は前記図１の芯材３のようにストレートの１本の針金ではなく、網目状を成し、しかも素手で簡単に折り曲げることが出来る強さを有している。上記表層６、芯材５、及び裏層７は互いに接着すたり縫製したりすることが出来、又、表裏層の材質が軟質樹脂の場合には成形することが出来る。
【００１８】
ところで、上記表層６は肌に接する側を、裏層７はマスク上縁を挟み込む側となるが、その為に表層６は例えばウール生地で構成した比較的厚いものを使用することが出来る。そして、この縁部材１は（ｂ）のように概略逆Ｕ形断面に折り曲げられ、間に形成される隙間４にマスク上縁が嵌って取付けられる。該縁部材１の芯材５はストレートの１本でなく網目状と成っていることで、逆Ｕ字状に折り曲げても元に戻ることはなく、又概略逆Ｕ字状断面の両側片８，８にてマスク上縁を挟み込むことが出来る。
【００１９】
図３はマスク９の上縁に本発明の縁部材１を取付けた場合を示している。近年、マスクにも色々な形態が知られているが、基本形態は同じであり、両側には耳掛け１０，１０を有している。そして、上記縁部材１を曲げて湾曲することであらゆるマスク９の上縁に取付けることが出来る。縁部材１の構造は前記図１の場合と図２の場合の何れでもよい。
【００２０】
図４は本発明に係るマスク９を着用した状態を示している。マスク９の上縁に取付けた縁部材１は鼻の形状に合わせて曲げ成形され、鼻との間に隙間を作ることなく肌に密着することが出来る。実際にはマスク９を着用した状態で縁部材１を押圧するならば、鼻の形状に倣って曲げられる。従って、該マスク９を着用した状態でメガネを掛ける場合、マスク９の上縁から吐息が漏れることはなく、メガネレンズが曇ることもない。そして、該マスク９が汚れて洗濯する場合には縁部材１を取外すことが出来る。
【００２１】
本発明の縁部材をマスク９の上縁に取付けることで、メガネレンズの曇り止め効果を得ることが出来ることは勿論であるが、菌の侵入防止を図ることが出来、着用したマスク９の位置ズレ防止をすることが出来る。そして、縁部材１の材質として抗菌作用のある素材を使用することが出来、一方、香料を混入したりマイナスイオンを発するように構成することも可能である。
【００２２】
図５は本発明に係るマスクの上縁に取付ける縁部材を示す他の実施例である。基本形態は前記図１に示している縁部材１と共通し、概略Ｕ形断面として内部には芯材３が埋着されている。しかも、同図に示している縁部材１はその両端に止着部１１，１１を設けている。該止着部１１，１１には止着穴１２，１２が貫通して設けられ、止着部１１，１１にはスリット１３，１３が形成されて止着穴１２，１２に連通している。
【００２３】
該止着穴１２，１２にはマスクの耳掛けが嵌ることが出来るように、スリット１３，１３を捻ることで止着穴１２，１２は開口し、該スリット１３，１３から耳掛けが挿入されて止着穴１２，１２に嵌ることが出来る。又、該縁部材１は両側片８ａ，８ｂを有す概略Ｕ形断面をしているが、正面側（マスクに取付けた場合の内側）の側片厚さは一定しているが、背面側（マスクに取付けた場合の外側）の側片８ｂは中央部において厚さが変化している。すなわち、中央の両側部では厚く成っており、しかも先端方向に向いてその厚さが減少している。
【００２４】
図６は前記図５に示す縁部材１をマスク９の上縁に取付けた場合であり、マスク上縁は両側片８ａ，８ｂにて挟まれて取付けられる。そして、止着穴１２，１２には耳掛け１０，１０が嵌っており、縁部材１は横ズレすることなく、しかもマスク上縁から外れることなく取付けられる。
【００２５】
図７は本発明に係るマスクの上縁に取付ける縁部材を示すさらなる別の実施例である。基本形態は前記図１に示している縁部材１と共通し、概略Ｕ形断面として内部には芯材３が埋着され、しかも、図５と同じく縁部材１はその両端に止着部１１，１１を設けている。そして、止着部１１，１１には止着穴１２，１２が貫通して設けられ、止着部１１，１１にはスリット１３，１３が形成されて止着穴１２，１２に連通している。ただし、図７の縁部材１はその中央部が概略Ｕ形断面と成っているだけであり、両側端部では正面側の側片８ａは切欠かれている。
【００２６】
縁部材１の中央部が概略Ｕ形をしていることで、マスクの上縁を挟み込むことが出来、しかも止着部１１，１１に設けた止着穴１２，１２にはマスクの耳掛け１０，１０が嵌るように成っている。従って、縁部材１はマスク上縁から外れることはなく、しかも位置ズレすることもない。図８は図７の縁部材１をマスク上縁に取付けた場合の正面図と背面図を表している。
【００２７】
図９は本発明に係るマスクの上縁に取付ける縁部材を示すさらなる別の実施例である。基本形態は前記図１に示している縁部材１と共通し、概略Ｕ形断面として内部には芯材３が埋着され、しかも、図５と同じく縁部材１はその両端に止着部１１，１１を設けている。そして、止着部１１，１１には止着穴１２，１２が貫通して設けられ、止着部１１，１１にはスリット１３，１３が形成されて止着穴１２，１２に連通している。ただし、図９の縁部材１はその一部が概略Ｕ形断面と成っているだけであり、中央部と両側端部では正面側の側片８ａは切欠かれている。
【００２８】
縁部材１の一部が概略Ｕ形をしていることで、マスクの上縁を挟み込むことが出来、しかも止着部１１，１１に設けた止着穴１２，１２にはマスクの耳掛け１０，１０が嵌るように成っている。従って、縁部材１はマスク上縁から外れることはなく、しかも位置ズレすることもない。図１０は図９の縁部材１をマスク上縁に取付けた場合の正面図と背面図を表している。
【符号の説明】
【００２９】
１  縁部材
２  本体
３  芯材
４  隙間
５  芯材
６  表層
７  裏層
８  側片
９  マスク
10  耳掛け
11  止着部
12  止着穴
13  スリット
【図１】
2011019894.tif 000003
【図２】
2011019894.tif 000004
【図３】
2011019894.tif 000005
【図４】
2011019894.tif 000006
【図５】
2011019894.tif 000007
【図６】
2011019894.tif 000008
【図７】
2011019894.tif 000009
【図８】
2011019894.tif 000010
【図９】
2011019894.tif 000011
【図１０】
2011019894.tif 000012